(57)【要約】  鍛造型ツールセットは空洞部をその内部に規定するとともに該空洞部に配置されたコアロッドを備えている。前記コアロッドは、被加工物に空隙部を設けるための部分である。コアロッドは、被加工物が空洞部に導入され、圧縮され、そして空洞部から取り出される方向に沿って延在している。コアロッドは、上側部分および下側部分で構成されている。上側部分は、被加工物内に所定の形状を形成する断面形状を有しており、コアロッドの下側部分に向かってテーパ状に延在する径方向テーパ部．を有している。下側部分は、被加工物内に所定の形状を形成する断面形状を有しており、上側部分の断面形状は、下側部分の断面形状とは異なる形状とされている。下側部分はより磨耗に対して耐久性のある形状とされており、その形状はより大きな直径とされており、かつ、上側部分は、鍛造された最終被加工物を形成するためのより小さな直径の仕上がり形状とされている。
2011500328.tif 000002
【特許請求の範囲】
【請求項１】
空洞部が設けられた金型と、前記空洞部の中に被加工物に空隙部を形成するために配置され、かつ、前記被加工物が前記空洞部に導入され、圧縮され、該空洞部から取り出される方向に延在されいる、コアロッドと、を備えた金属部材を成形するための鍛造型ツールセットにおいて、
（イ）前記コアロッドが、コアロッド上側部分とコアロッド下側部分とで構成され、
（ロ）前記コアロッド上側部分には、前記被加工物における所定の形状をなす断面形状とされ、かつ、前記コアロッド下側部分に向かってテーパ状に設けられたテーパ部が備えられ、
（ハ）前記コアロッド下側部分が、前記被加工物における所定の形状をなす断面形状とされ、そして、
（ニ）前記コアロッド上側部分の前記断面形状が、前記コアロッド下側部分の前記断面形状と異なり、かつ、該コアロッド下側部分の該断面形状よりも精密化された形状とされている
ことを特徴とする金属部材のための鍛造型ツールセット。
【請求項２】
前記コアロッド上側部分の前記断面形状が、前記被加工物の最終形状とされ、かつ、前記コアロッド下側部分の前記断面形状が、前記被加工物の前記最終形状と初期形状との間の中間形状とされていることを特徴とする請求項１に記載の鍛造型ツールセット。
【請求項３】
前記コアロッド下側部分の前記断面形状が、前記コアロッド上側部分の前記断面形状よりも丸みを帯びたものとされていることを特徴とする請求項１に記載の鍛造型ツールセット。
【請求項４】
前記コアロッド下側部分の断面形状と前記コアロッド上側部分の断面形状とが、ともにスプライン形状とされていることを特徴とする請求項１に記載の鍛造型ツールセット。
【請求項５】
前記コアロッド下側部分と前記コアロッド上側部分とが、互いに異なる素材で構成されていることを特徴とする請求項１に記載の鍛造型ツールセット。
【請求項６】
前記コアロッド下側部分が耐熱鋼で構成されていることを特徴とする請求項１に記載の鍛造型ツールセット。
【請求項７】
前記コアロッド上側部分が耐熱鋼で構成されていることを特徴とする請求項１に記載の鍛造型ツールセット。
【請求項８】
前記コアロッド上側部分が、前記コアロッド下側部分に固定されていることを特徴とする請求項１に記載の鍛造型ツールセット。
【請求項９】
前記コアロッド上側部分が、ねじ部によって前記コアロッド下側部分に固定されていることを特徴とする請求項１に記載の鍛造型ツールセット。
【請求項１０】
前記ねじ部が、前記コアロッド上側部分と一体に設けられていることを特徴とする請求項９に記載の鍛造型ツールセット。
【請求項１１】
前記ねじ部が、前記コアロッド上側部分と別体に設けられていることを特徴とする請求項９に記載の鍛造型ツールセット。
【請求項１２】
前記被加工物が、前記コアロッド下側部分によって鍛造され、かつ、前記コアロッド上側部分によって変形されることを特徴とする請求項１１に記載の鍛造型ツールセット。
【請求項１３】
前記被加工物が、該被加工物が前記金型から取り出されるときに前記コアロッド上側部分によって変形されることを特徴とする請求項１２に記載の鍛造型ツールセット。
【請求項１４】
前記コアロッド上側部分の前記テーパ部が、約０．２５インチの高さを有していることを特徴とする請求項１に記載の鍛造型ツールセット。
【請求項１５】
前記コアロッドのコアロッド下側部分を成形する工程と、前記コアロッド下側部分の断面形状とは異なる断面形状を有する、前記コアロッドのコアロッド上側部分を成形する工程と、を有する鍛造用コアロッドを成形する方法において、
前記コアロッド上側部分にテーパ部を設けるとともに、前記コアロッド上側部分に前記コアロッド下側部分よりも精密化されたた断面形状を設ける
ことを特徴とする鍛造コアロッドを成形する方法。
【請求項１６】
前記コアロッド上側部分の前記端部を前記テーパ部に隣接して成形するために、前記コアロッド下側部分の端部を前記コアロッド上側部分の端部に隣接して位置付ける工程をさらに有することを特徴とする請求項１５に記載の鍛造コアロッドを成形する方法。
【請求項１７】
前記コアロッド上側部分の断面形状を、被加工物の最終形状に成形し、かつ、前記コアロッド下側部分の断面形状を、前記被加工物の前記最終形状と初期形状との間の中間形状に成形することを特徴とする請求項１５に記載の鍛造コアロッドを成形する方法。
【請求項１８】
前記コアロッド下側部分の断面形状を、前記コアロッド上側部分断面形状よりも丸みを帯びた形状に成形することを特徴とする請求項１５に記載の鍛造コアロッドを成形する方法。
【請求項１９】
前記コアロッド下側部分の断面形状と前記コアロッド上側部分の断面形状とを、ともにスプライン形状に成形することを特徴とする請求項１５に記載の鍛造コアロッドを成形する方法。
【請求項２０】
前記コアロッド下側部分を、耐熱鋼で構成することを特徴とする請求項１５に記載の鍛造コアロッドを成形する方法。
【請求項２１】
前記コアロッド上側部分を、耐熱鋼で構成することを特徴とする請求項１５に記載の鍛造コアロッドを成形する方法。
【請求項２２】
前記テーパ部を、約０．２５インチの高さに設けることを特徴とする請求項１５に記載の鍛造コアロッドを成形する方法。
【請求項２３】
被加工物に空隙部を形成するために金型の空洞部の中に配置され、かつ、前記被加工物が前記空洞部に導入され、圧縮され、該空洞部から取り出される方向に延在されいる、コアロッドを用いて、被加工物内に空隙部を成形する、金型セットに属する金型の空洞部で被加工物を鍛造する方法において、
（ａ）前記空洞部の中に前記被加工物を導入して前記コアロッドのコアロッド下側部分を前記被加工物に設けられた空隙部に収容する工程と、
（ｂ）前記被加工物に設けられた前記空隙部の表面に対して精密化されていない形状を成形するために、前記金型の前記空洞部で、前記コアロッドの前記コアロッド下側部分を用いて前記被加工物の前記空隙部の表面を鍛造する工程と、
（ｃ）前記被加工物に設けられた前記空隙部の前記表面に対して精密化された形状を成形するために、前記被加工物を前記空洞部から取り出す間に、前記被加工物を前記コアロッドの前記コアロッド下側部分から分離し、前記被加工物を移動して前記コアロッドのコアロッド上側部分を前記被加工物の前記空隙部の中に導入し、そして、前記コアロッドの前記コアロッド下側部分が成形した前記空隙部の前記表面を前記コアロッド上側部分で再成形する工程と、
を有することを特徴とする被加工物を鍛造する方法。
【請求項２４】
前記被加工物を前記コアロッドの前記コアロッド下側部分から分離する工程と前記コアロッドの前記コアロッド上側部分を用いて前記空隙部の前記表面を再形成する工程との間に、前記被加工物の前記空隙部を前記コアロッドのテーパ部の上を通過させる工程をさらに有することを特徴とする請求項２３に記載の方法。
【請求項２５】
前記精密化された形状を、前記精密化されていない形状よりも尖った角部を有する形状とすることを特徴とする請求項２３に記載の方法。
【発明の詳細な説明】
【技術分野】
【０００１】
本発明は、鍛造型ツールセットに関し、特に、鋳造される構成部品に空隙を設けるためのコアロッドを用いた鍛造に関する。
【背景技術】
【０００２】
鍛造（ｆｏｒｇｉｎｇ）は、多くの種類の構成部品を成形および強化するために利用される金属成形プロセスである。例えば、鍛造は、エンジン接続ロッド、カムシャフト、歯車ブランク、ブッシング、ハンマー、レンチ、ゴルフ用クラブおよびその他の周知の物品を製造するために用いられている。鍛造は、当初素材で構成された構成部品と比較して強度が高められた構成部品を得ることができるので、他の金属成形プロセスよりも有利である。鍛造による強度上昇は、構成部品成形中における素材の粒状構造に変化が生じることにより得られる。鍛造は様々な温度で行うことができる。冷間鍛造（ｃｏｌｄ  ｆｏｒｇｉｎｇ）は、典型的には被加工物に対して常温で行われる。冷間鍛造プロセスは、相対的に小さな構成部品の鍛造に用いられるか、あるいは、少量のマテリアル・フローが要求されるような場合に用いられる。熱間鍛造は、典型的には被加工物を構成する素材の融点よりも低い高温で被加工物に対して行われる。熱間鍛造プロセスは、相対的に大きな構成部品の鍛造に用いられるか、あるいは、多量のマテリアル・フローが必要とされる場合に用いられる。
【０００３】
鍛造プレスは、典型的には、偏心軸，クランクおよびねじ、あるいは、油圧式アクチュエータなどの機械的構成部品によって駆動される。被鋳造構成部品は、鍛造プレスにおける、金型ツールセットの空洞部の形状を与えられる。環状の構成部品を鍛造する場合には、金型ツールセットは、典型的には、金型と、上側パンチ、下側パンチおよびコアロッドを備えている。金型は被加工物をその径方向外側から包囲するように設けられている。上側パンチおよび下側パンチは、被加工物をその軸方向において圧縮するように設けられている。また、コアロッドは、被加工物を保持しつつその内部空隙を完成させるように設けられている。
【発明の概要】
【発明が解決しようとする課題】
【０００４】
鍛造は、典型的には、スチールまたは合金鋼製の構成部品に対して適用される。しかしながら、アルミニウム、銅およびチタニウムなどの他の素材を鍛造するためのプロセスもまた技術分野において公知である。鍛造プロセスは、焼結された粉末金属塊を成形するために利用することもできる。焼結プロセスを経た粉末金属塊は最終構成部品の形状に近似した形状を有している。しながら、鍛造プロセスでは、典型的には、構成部品を製作公差に適合させることが求められる。
【０００５】
熱間鍛造工程において、コアロッドは内部空隙形状を形成および成形するために用いられる。コアロッドは高温・高圧に晒されるため、プレスサイクルが増加するにつれて相当程度磨耗する傾向がある。最終的には、仕様どおりの部品を製造するためにコアロッドを交換することが必要となる。また、内歯スプラインを有する構成部品であれば、被鍛造構成部品に尖った角部を与えることがしばしば必要となる。被鍛造部品が尖った角部を有すべき場合にはコアロッドの磨耗はより急速に進行する。従来の鍛造コアロッドの制約条件を考慮すれば、高精度で構成部品を製造することができるとともに、熱と圧力とにより加速される磨耗にも耐えうるコアロッドが求められている。
【課題を解決するための手段】
【０００６】
本発明は、空洞部（ｃａｖｉｔｙ）を規定するとともに、被加工物に空隙を形成するために該前記空洞部に配置されたコアロッドを備えた、鍛造型ツールセットを提供する。コアロッドは被加工物が空洞部に導入され、圧縮され、そして取り出される圧迫・取り出される方向において延在している。コアロッドは、上側部分および下側部分を有している。コアロッドの上側部分は、被加工物に対して所定形状を形成するための断面形状を有しており、径方向にテーパ状に設けられたテーパ部を有している。コアロッドの下側部分は、被加工物に対して所定形状を成形するための断面形状を有しており、かつ、上側部分の断面形状は、下側部分の断面形状とは異なる形状とされている。
【０００７】
他の様相において、コアロッドの上側部分の断面形状は、被加工物の最終形状に対応する形状とされ、かつ、コアロッドの下側部分の断面形状は、被加工物の最終形状と初期形状との間の中間形状に対応する形状とされている。また、コアロッドの下側部分の断面形状は、上側部分の断面積よりも丸みを帯びている（曲線的に構成されている）。例えば、コアロッドの下側部分の断面形状および上側部分の断面形状は、ともにスプライン（ｓｐｌｉｎｅ）形状とされてもよい。
【０００８】
好ましくは、鍛造素材板（ｆｏｒｇｉｎｇ  ｂｌａｎｋ）に設けられる空隙部は、鍛造素材板が金型へ進入する途中でコアロッドによる実質的な変形が生じることなく鍛造素材板がコアロッドの上側部分を通過することができるような寸法および形状を与えられている。素材板が金型の底部に達して圧力を受けると、コアロッドの下側部分の形状によって空隙部の形状が鍛造されるように、空隙部はコアロッドの下側部分に対して内側につぶれる。ブランクが取り出される際に空隙部はさらにコアロッドの上側部分によって変形されて、鍛造された部分がコアロッドの上側部分を通過するにつれて、空隙部の鍛造された形状が仕上げられる。
【０００９】
本発明の前述した目的およびその他の目的および利点は、以下に記載する詳細な説明に示されるとおりである。詳細な説明においては、本発明の好ましい実施形態が記載された添付図面が参照される。
【図面の簡単な説明】
【００１０】
【図１】本発明の鍛造型ツールセットの概略断面図である。
【図２】図１の鍛造型ツールセットにおける鍛造プロセス２ａないし２ｈを示した図である。
【図３】本発明に係るコアロッドの代替的な実施形態３ａないし３ｃを示した図である。
【図４】本発明によって鍛造される被加工物の内面形状の例を示した図であり、４ａは角張った内面形状を、４ｂは丸みを帯びた内面形状をそれぞれ示すものである。
【図５】コアロッドの下側部分の丸みを帯びた内面形状と、同じコアロッドの上側部分のより角張った内面形状との相違を示した概略図である。
【発明を実施するための形態】
【００１１】
以下、本発明を実施するための形態を、図面を参照して説明する。図１、図２の２ａ〜２ｈ、図３の３ａ〜３ｃにおいて、図示された構成部品は、装置の中央部を垂直に通過する軸に対して軸対称とされている。単純化のため、構成部品は、対称軸の片側においてのみ付番した。
【００１２】
図１は、本発明に係る鍛造型ツールセット１０を示した図である。鍛造型ツールセット１０は、（イ）金型１２と、（ロ）上側パンチ１４と、（ハ）下側パンチ１６と、（ニ）支持軸１８と、（ホ）支持面２０と、（ヘ）コアロッド２２とを備えている。鍛造型ツールセット１０は、被加工物２４（構成部品）を鍛造するように構成されている。被加工物２４は、はすば歯車（ヘリカルギヤ）、平歯車などの、環状の粉末金属塊（ｍｅｔａｌ  ｐｏｗｄｅｒ  ｂｌａｎｋ）である。金型１２は、被加工物２４をその径方向外側から包囲しているとともに被加工物２４の外側表面２６に接触している。上側パンチ１４および下側パンチ１６は、被加工物２４の上面２８および下面３０にそれぞれ接触している。コアロッド２２は、被加工物２４の中央の空隙部の中に配置されている。ねじ部３２は、コアロッド２２を貫通して、支持軸１８の雌ねじ３３内にねじ込み固定されている。コアロッド２２は、被加工物２４の内側表面３４に接触している。
【００１３】
上側パンチ１４および下側パンチ１６は、互いに独立したアクチュエータ（図示せず）によって移動するように構成されている。これらのアクチュエータは、機械式、油圧式などである。金型１２および支持軸１８は、成形時間を短縮するために互いに独立したアクチュエータによって移動されるように構成されてもよい。また、自動化された構成部品挿入・取出機構をシステムに用いてもよい。かかる機構は、技術分野において周知のものである。
【００１４】
本発明によれば、コアロッド２２は２つの部分、すなわち、コアロッド上側部分３６およびコアロッド下側部分３８で構成されている。コアロッド下側部分３８は、耐熱鋼などの高温および高圧下でも変形しにくい素材で構成されていることが好ましい。高温および高圧下でも変形しにくい他の素材を用いてもよい。かかる素材は技術分野において周知である。かかる素材を用いることが有利なのは、被加工物２４が大量の熱をコアロッド下側部分３８に伝導するからである。
【００１５】
追加的に、鍛造型は、内歯スプラインなどが設けられた構成部品を製作するのに一般的に用いられる。その場合には、コアロッド下側部分３８は、被加工物２４に対してその最終的な内部形状を付与するものではない。その代わりに、コアロッド下側部分３８は、鍛造中における熱および圧力によって拍車がかかるところの磨耗および変形に対する追加的な抵抗を提供するために、被加工物２４の最終的な鍛造形状としての小径の尖ったまたは角張った角部を有する代わりに、丸みを帯びた（曲線的な）縁部を有している（角部で相対的に大径となる）。例えば、図５において、尖った縁部と丸みを帯びた角部の最近点との間の距離は、約０．０２インチとすべきである。しかしながら、丸みを帯びた縁部のサイズは、熱および圧力によって拍車がかかるところの磨耗および変形に対する追加的な抵抗をさらに提供するために増大されてもよい。丸みを帯びた輪郭を角張った輪郭に対して相関的な寸法とすることで、コアロッド上側部分およびコアロッド下側部分に隣接した鍛造室の断面積が実質的に同一となるとともに、被加工物の素材が同容積で変位されることができるように、形状のみが変化する。
【００１６】
再度図１を参照すると、コアロッド上側部分３６もまた耐熱鋼で構成されることが好ましい。代替的に、コアロッド上側部分３６は、カーバイド、セラミックまたはその他の公知の素材で構成されてもよい。追加的に、コアロッド上側部分３６は、２つの部分、すなわち、定寸部４０およびテーパ部４２を有している。定寸部４０は、コアロッド下側部分３８に対して相似形状を有しており、後述するように被加工物２４を金型から取り出す際に被加工物２４に接触するように構成されている。テーパ部４２は、コアロッド下側部分３８を定寸部４０から分離するとともに、被加工物２４には接触しないようになっている。テーパ部４２は、コアロッド２２全体の高さと比較して相対的に短い。例えば、テーパ部４２は高さ０．２５インチである。テーパ部４２は、コアロッド下側部分３８と定寸部４０との間の熱伝導を制限する。熱伝導が制限されるので、定寸部４０に生じる変形の程度も低くなる。有利には定寸部４０およびコアロッド２２の寿命期間が増加する。追加的に、鍛造型ツールセット１０が内歯スプラインなどを有する構成部品を製作するために用いられる場合には、コアロッド上側部分３６の定寸部４０が、被加工物２４に対してその最終内部形状を付与する。鍛造型ツールセット１０を使用するプロセスは、以下にさらに詳細に説明される。
【００１７】
図４ａは、被加工物２４の最終内部形状の例を示した図である。被加工物２４の内側表面３４は、複数のインボリュートスプライン曲面４４を含む。インボリュートスプライン曲面４４は、トルク伝達と、被加工物２４および隣接するシャフト（図示せず）の間の独立な軸方向運動とを許容する。インボリュートスプライン曲面４４の数およびスプライン寸法は具体的な用途に応じて適宜選択することができる。例えば、スプライン寸法は、米国規格協会（ＡＮＳＩ）によって公表されているような標準サイズであってよい。代替的に、最終内部形状は、技術分野において公知のどのようなスプライン形状であってもよい。いずれにせよ、コアロッド上側部分３６の定寸部４０は、被加工物２４が鍛造型ツールセット１０から取り出された後における被加工物２４の最終内部形状の逆形状（ｎｅｇａｔｉｖｅ）を有している。
【００１８】
図４ｂは、コアロッド下側部分３８に対して鍛造された後ではあるが、しかしてコアロッド上側部分３６によって精密化される前における、未完成被加工物１２４の丸みを帯びた内部形状の例を示した図である。未完成被加工物１２４の内側表面１３４は、複数の丸みを帯びたインボリュートスプライン曲面１４４を有している。コアロッド下側部分３８は、丸みを帯びた角部を有する最終内部形状の逆形状を含む。コアロッド上側部分３６によって被加工物に付与される形状は、コアロッド下側部分３８によって与えられる形状よりも「精密化されている（ｒｅｆｉｎｅｄ）」という、その理由は、コアロッド上側部分３６がコアロッド下側部分３８によって付与された形状をさらに変化させて、完成品としての鍛造された被加工物１２４の形状に近いものとされるからである。多くの場合、より精密化された形状は、図４ａと図４ｂとを比較した場合におけるように、より尖った角部となる。
【００１９】
また、再度図１を参照すると、鍛造型ツールセット１０の構成部品は、上面２８と内側表面３４との間、および、下面３０と内側表面３４との間に面取り部を設けてもよい。
【００２０】
また、コアロッド上側部分３６およびコアロッド下側部分３８は、各部分に隣接する空洞部の断面積が等しくなるように設計されるべきである。換言すれば、図５の実線は、点線の両側において等しい面積を囲むべきである、なんとなれば、もし、コアロッド下側部分３８に隣接する空洞部の断面積がコアロッド上側部分３６に隣接するそれよりも小さいならば、被加工物２４はコアロッド上側部分３６に隣接する空洞部の尖った角部すべてを占有しなくなるであろうし、逆に、コアロッド下側部分３８に隣接する空洞部の断面積がコアロッド上側部分３６に隣接するそれよりも大きいならば、「ばり」が被加工物２４に形成されてしまうか、あるいは、過剰な工具磨耗が生じることになるからである。
【００２１】
加えて、一部の鋳造構成部品は、鍛造された素材間の温度および冷却率の差に起因して変形することがある。この変形または「ロービング（ｌｏｂｉｎｇ）」は、鋳造構成部品の最終形状が意図した形状とは異なってしまうことにつながる。このロービングは周知の有限要素解析コンピュータプログラムによって予測することができるので、コアロッド部分の形状は、鋳造構成部品がロービングにもかかわらず製作公差を満たすように設計されることができる。
【００２２】
下側パンチ１６は、被加工物２４を金型１２から押し出すために用いられる（これについては以下に詳述する）。したがって、下側パンチ１６は、それが被加工物２４を金型１２から取り出す際にコアロッド下側部分３８またはコアロッド上側部分３６のいずれかに接触することなく被加工物２４の下面３０を支持するために用いられる。つまり、下側パンチ１６は、被加工物２４の最終形状と同一の内部断面形状を有してもよいが、しかし、コアロッド２２による干渉を防止するために径方向に拡大されてもよい。したがって、支持軸またはコアロッド基部１８は、下側パンチ１６の内部断面形状の逆形状である外部断面形状を有し、そして、下側パンチ１６と密に嵌合する。
【００２３】
また、コアロッド上側部分３６およびコアロッド下側部分３８は、それが金型１２内に配置されたときに鍛造されない被加工物を通過するように寸法および形状を与えられている。上側パンチ１４は、上側パンチ１４がコアロッド上側部分３６を通り過ぎて移動するにつれて、コアロッド上側部分３６を通過するように寸法および形状を与えられている。つまり、上側パンチ１４は、被加工物２４の最終形状と同一の内部断面形状を有しているが、コアロッド上側部分３６との干渉を防止するために若干、径方向において増大している。したがって、コアロッド下側部分３８の先端におけるコアロッド下側部分３８の高さ方向の若干の部分は、鍛造プロセスの間における上側パンチ１４との接触を防ぐために被加工物２４の最終内部形状を有してもよい。
【００２４】
被加工物２４を鍛造型ツールセット１０内で鍛造するプロセスは以下のとおりである。図２の（ａ）に示すように、鍛造型ツールセット１０は、初期状態においては、被加工物２４を有しておらず、上側パンチ１４も取り外し位置とされている。次に、図２の（ｂ）に示すように、被加工物２４を金型１２内に配置する。続いて、図２の（ｃ）に示すように、上側パンチ１４を下方へ移動して被加工物２４と接触させるとともに、上側パンチ１４を被加工物２４との初期接触後も下方に移動させ続ける。さらに、図２の（ｄ）に示すように、被加工物２４を上側パンチ１４と下側パンチ１６との間で圧縮する。すると、被加工物２４は径方向外側および内側に拡張して、金型１２およびコアロッド下側部分３８にそれぞれ接触する。被加工物２４の圧縮後、上側パンチ１４を図２ｅに示すようにその初期位置に移動する。さらに、図２の（ｆ）に示すように、コアロッド上側部分３６の定寸部４０を用いて被加工物２４の内側表面３４を成形するために下側パンチ１６を上方へ移動させる。このステップが終わると被加工物２４の変形が完了するので、さらに、図２の（ｇ）に示すように被加工物２４を鍛造型ツールセット１０からの取り出し位置に位置づける。図２の（ｈ）に示すように、下側パンチ１６を再びその初期位置となるまで下方へ移動する。このようにして、図２の（ａ）のステップに戻ってプロセスは繰り返される。
【００２５】
また、被加工物２４がはすば歯車（ヘリカルギヤ）である場合には、プロセスは、内側表面３４の取り出しおよび成形の間における被加工物２４を回転する処理を含んでもよい。はすば歯車を回転させる回転プロセスは技術分野において周知である。このプロセスにおいて、コアロッド下側部分３８は、円形断面を有することができ、コアロッド上側部分３６は、被加工物２４にスプラインを形成するためのスプライン形状を有してもよい。
【００２６】
図３の（ａ）ないし（ｃ）は、コアロッド２２の幾つかの代替的実施例を示した図である。図３の（ａ）の実施例では、コアロッド１２２は、コアロッド上側部分１３６およびコアロッド下側部分１３８を備えているが、単一の素材・部品から構成されている。これに対して図１の実施形態では、コアロッド上側部分３６は、第１の部分であり、コアロッド下側部分３８は、コアロッド上側部分３６とは別体構成された第２の部分である。コアロッド上側部分１３６は、定寸部１４０およびテーパ部１４２を備えている。定寸部１４０、テーパ部１４２およびコアロッド下側部分１３８の特徴的な形状は、当初素材部品を機械加工することにより形成される。また、ねじ部３２が、コアロッド１２２を貫通しており、支持軸１８における雌ねじ３３に対してねじ込み可能に取り付けられている。
【００２７】
図３の（ｂ）は、別体構成された締結要素を必要としないコアロッド２２２を示した図である。かかる締結要素に代えて、コアロッド上側部分２３６には、コアロッド下側部分２３８に設けられた雌ねじ２３５に取り付けられる一体的なねじ切り部２３２が設けられている。コアロッド下側部分２３８には、支持軸１８に設けられた雌ねじ３３に取り付けられる一体的なねじ切り部分２３７が設けられている。本発明の他の実施形態におけると同様に、上側コアロッド部分２３６は定寸部２４０およびテーパ部２４２を備えている。      
【００２８】
図３の（ｃ）は、別体構成された締結要素を必要としない他のコアロッド３２２を示した図である。締結要素に代えて、コアロッド上側部分３３６には、コアロッド下側部分３３８を貫通するとともに支持軸１８の雌ねじ３３に取り付けられる、一体的なねじ切り部分３３２が設けられている。ここでも、上側コアロッド部分３３６は定寸部３４０およびテーパ部３４２を備えている。
【００２９】
いずれの実施形態におけるコアロッド上側部分およびコアロッド下側部分も、旋削およびフライス加工などの周知のプロセスによって得られる。製造プロセスは、用いられる締結要素のタイプと、コアロッドを得るために用いられる要素点数にしたがって変形されることができる。
【００３０】
本発明の好ましい実施形態についてかなり詳細に記載してきたところである。記載された好ましい実施形態に対する多くの変更および変形は、当該技術分野における通常の知識を有する者にとり自明であろう。したがって、本発明は、記載された実施例に局限されるものとみるべきではなく、本発明の特許請求の範囲の記載によって規定されるべきである。
【符号の説明】
【００３１】
１０  鍛造型ツールセット
１２  金型
１４  上側パンチ
１６  下側パンチ
１８  支持軸
２０  支持面
２２  コアロッド
２４  被加工物（構成部品）
２６  外側表面
２８  上面
３０  下面
３２  ねじ部
３３  雌ねじ
３４  内側表面
３６  コアロッド上側部分
３８  コアロッド下側部分
４０  定寸部
４２  テーパ部
【図１】
2011500328.tif 000003
【図２ａ】
2011500328.tif 000004
【図２ｂ】
2011500328.tif 000005
【図２ｃ】
2011500328.tif 000006
【図２ｄ】
2011500328.tif 000007
【図２ｅ】
2011500328.tif 000008
【図２ｆ】
2011500328.tif 000009
【図２ｇ】
2011500328.tif 000010
【図２ｈ】
2011500328.tif 000011
【図３ａ】
2011500328.tif 000012
【図３ｂ】
2011500328.tif 000013
【図３ｃ】
2011500328.tif 000014
【図４ａ】
2011500328.tif 000015
【図４ｂ】
2011500328.tif 000016
【図５】
2011500328.tif 000017
【国際調査報告】
2011500328.tif 000018
2011500328.tif 000019